(57)【要約】
【課題】  クリスマスツリー用装飾電灯などの収容に用いられる収容容器であって、収容された装飾電灯のプラグの位置が分かり易く、好適に収容又は取り出すことができる収容容器を提供すること。
【解決手段】  上面を開口してクリスマスツリー用装飾電灯６を収容可能な容器本体２と、容器本体２の上面開口を覆う蓋体３とからなる収容容器１であって、蓋体３には、収容容器１に収容されるクリスマスツリー用装飾電灯６が備えるプラグ７が嵌合可能に形成されている。
【選択図】  図１
0003100735.tif 000002
【実用新案登録請求の範囲】
【請求項１】
上面を開口してクリスマスツリー用装飾電灯を収容可能な容器本体と、前記容器本体の上面開口を覆う蓋体とからなる収容容器であって、前記蓋体には、前記収容容器に収容される前記クリスマスツリー用装飾電灯が備えるプラグが嵌合可能に形成されたことを特徴とする収容容器。
【請求項２】
前記蓋体の上面に前記プラグが嵌合可能な凹状部分が形成されているとともに、前記凹状部分の底面に前記プラグから延びるコードが通過可能な開口部が形成された請求項１記載の収容容器。
【請求項３】
前記開口部は前記プラグよりも小さく形成されるとともに、前記凹状部分の底面が可とう性を有して前記プラグが前記開口部を通過可能に構成された請求項２記載の収容容器。
【請求項４】
前記容器本体が円筒体を呈するとともに、透明の樹脂材料から形成された請求項３記載の収容容器。
【考案の詳細な説明】
【技術分野】
【０００１】
本考案は収容容器に関し、特にクリスマスツリー用装飾電灯を収容する容器として有用である。
【背景技術】
【０００２】
図２に示すように、一般的なクリスマスツリー用装飾電灯は、プラグ７を有する長尺コード８と、その長尺コード８に一定間隔毎に設けられた複数個の電球９から構成されており、当該装飾電灯６は、従来、紙製または薄い樹脂製からなる直方体の容器に収容されていた。
【考案の開示】
【考案が解決しようとする課題】
【０００３】
しかしながら、クリスマスツリー用装飾電灯は、クリスマスツリーの外面に垂れ掛けながら巻回するものであるため、非常に長尺のコードを有し、そのコードには数多くの電球が設けられている。そのため、上記のような直方体の容器に収容すると、嵩張って再び使用する際に取り出し難く、プラグの位置が分かり難い等の不具合があった。そこで、本考案の目的は、クリスマスツリー用装飾電灯の収容に用いられる収容容器であって、収容された装飾電灯のプラグの位置が分かり易く、好適に収容又は取り出すことができる収容容器を提供することにある。
【課題を解決するための手段】
【０００４】
上記目的を達成するため、本考案の収容容器は、上面を開口してクリスマスツリー用装飾電灯を収容可能な容器本体と、前記容器本体の上面開口を覆う蓋体とからなる収容容器であって、前記蓋体には、前記収容容器に収容される前記クリスマスツリー用装飾電灯が備えるプラグが嵌合可能に形成されている。
【０００５】
本考案に係る収容容器によれば、蓋体にクリスマスツリー用装飾電灯のプラグが嵌合可能に構成されているため、収容された装飾電灯のプラグの位置が分かり易く、また、プラグにコードが絡まることがないので、収容又は取り出しを容易に行うことができる。
【０００６】
上記において、前記蓋体の上面に前記プラグが嵌合可能な凹状部分が形成されているとともに、前記凹状部分の底面に前記プラグから延びるコードが通過可能な開口部が形成されたものが好ましい。
【０００７】
蓋体の上面に形成された凹状部分にプラグを嵌合させた状態で、そのプラグから延びるコード等を容器本体に収容することができるため、上記の作用効果に加えて、プラグの金属部と電球との接触による損傷を防止することができる。
【０００８】
上記において、前記開口部は前記プラグよりも小さく形成されるとともに、前記凹状部分の底面が可とう性を有して前記プラグが前記開口部を通過可能に構成されたものが好ましい。
【０００９】
開口部をプラグよりも小さく形成することにより、凹状部分に嵌合されたプラグが容器本体内に落ちることがなく、プラグを凹状部分に確実に嵌合することができる。また、凹状部分の底面が可とう性を有してプラグが開口部を通過可能であることにより、プラグを底面側に押し込んで開口部を通過させることで、装飾電灯のプラグとそれ以外の部材をまとめて取り出すことができるため、取り扱いが容易になる。
【００１０】
上記において、前記容器本体が円柱体を呈するとともに、透明の樹脂材料から形成されたものが好ましい。
【００１１】
容器本体が円柱体を呈することにより、装飾電灯を収容し易く、容器自体を持ち易くすることができる。また、透明の樹脂材料から形成されることにより、収容された製品の状態が確認容易であるとともに、容器内面との接触による電球の損傷を防止することができる。
【考案を実施するための最良の形態】
【００１２】
以下、本考案の実施の形態について、図面を参照しながら説明する。図１は、本考案に係る収容容器の一例を示す斜視図である。図１に示すように、本実施形態に係る収容容器１は円筒体を呈する容器本体２を備え、容器本体２は上面を開口してクリスマスツリー用装飾電灯６を収容可能に構成されている。また、収容容器１は容器本体２の上面開口を覆う蓋体３を備え、蓋体３の上面には収容容器１に収容される装飾電灯６が備えるプラグ７が嵌合されている。装飾電灯６は、図２に示すように、プラグ７を有する長尺コード８と、そのコードに一定間隔毎に設けられた複数個の電球９とを備える。
【００１３】
図３は蓋体３の平面図、図４は蓋体３の正面図である。図３及び４に示すように、蓋体３の上面には凹状部分４が形成されており、プラグ７が嵌合可能に構成されている。また、凹状部分４の底面４ａにはプラグ７から延びるコード８が通過可能な開口部５が形成されている。図１では、装飾電灯６のプラグ７を凹状部分４に嵌合させた状態で、そのプラグ７から延びるコード８を開口部５に通過させ、プラグ７以下のコード８及び電球９を容器本体２内に収容している。これにより、プラグ７にコード８が絡まることがなく、プラグ７と電球９との接触による損傷を防止することもできる。
【００１４】
開口部５はプラグ７よりも小さく形成されていることが好ましい。これにより、凹状部分４に嵌合されたプラグ７が容器本体２内に落ちることがなく、プラグ７を凹状部分４に確実に嵌合することができる。また、開口部５は長孔状であることが好ましい。これにより、コード８を開口部５に通過させ易く、プラグ７を凹状部分４に嵌合させた状態から取り外す際にコード８が開口部５に引っ掛かることがない。更に、凹状部分４の底面４ａは、蓋体３の底面４ａ以外の部分よりも可とう性が大きく、プラグ７が開口部５を通過可能に構成されたものが好ましい。プラグ７を底面４ａ側に押し込んで開口部５を通過させることにより、装飾電灯６のプラグ７とそれ以外の部材８、９をまとめて取り出すことができるため、取り扱いが容易になる。
【００１５】
収容容器１は、透明な樹脂材料からなることが好ましい。これにより、収容された装飾電灯６の状態が確認容易であるとともに、容器内面との接触による電球９の損傷を防止することができる。
【００１６】
［他の実施形態］
（１）前述の実施形態では、蓋体の上面にプラグを嵌合可能な凹状部分を備える例を示したが、本発明はこれに限られず、例えば、図５に示すように、蓋体３にプラグ７を嵌合可能な凸状部分１０が形成されたものであってもよい。
【００１７】
（２）本考案にかかる収容容器は円筒体を呈するものに限られない。また、透明な樹脂材料からなるものに限られない。
【図面の簡単な説明】
【００１８】
【図１】本考案に係る収容容器を示す図
【図２】クリスマスツリー用装飾電灯の図
【図３】蓋体の平面図
【図４】蓋体の正面図
【図５】別形態に係る蓋体を示す図
【符号の説明】
【００１９】
１    収容容器
２    容器本体
３    蓋体
４    凹状部分
５    開口部  
６    クリスマスツリー用装飾電球
７    プラグ
【図１】
0003100735.tif 000003
【図２】
0003100735.tif 000004
【図３】
0003100735.tif 000005
【図４】
0003100735.tif 000006
【図５】
0003100735.tif 000007